(57)【要約】【課題】高耐圧線材の腐食の原因となる冷却水中の溶存酸素濃度を確実に且つ効率よく低下させる。【解決手段】容器本体１の冷却水通路１３には、冷却水を循環させる配管系統２３と冷却水を貯蔵する水タンク２４とを備える冷却水回路２０が接続される。水タンク２４は、不活性ガスを吹き込むガスバブリング装置３０と、水タンク２４内に貯蔵される冷却水中の溶存酸素濃度を測定する溶存酸素濃度測定センサー３５が備える。容器本体１は真空ポンプ１８を備える。溶存酸素濃度測定センサー３５に接続される制御盤３６は、真空ポンプ１８による真空引きが行われた後にガスバブリング装置３０によるバブリング処理を開始し、溶存酸素濃度測定センサー３５で測定した溶存酸素濃度が所定の値以上になった場合に指示器３６ａにより所定の警告を行うように制御する。【選択図】図１
2014163658.tif 000002
【特許請求の範囲】
【請求項１】
円筒状の内筒と、前記内筒の外周面に張力を付与して高耐力線材を巻き付けてなる高耐力線材巻層と、前記内筒の過熱防止用の冷却水通路とを備え、被処理物を高温高圧処理するための線巻式圧力容器において、
前記冷却水通路に冷却水を供給する冷却水回路と、
前記冷却水回路において前記冷却水に対して不活性ガスを吹き込んでバブリング処理を行うガスバブリング装置と、
前記冷却水回路における前記冷却水の溶存酸素濃度を測定する濃度計と、
を備えることを特徴とする線巻式圧力容器。
【請求項２】
前記濃度計で測定した溶存酸素濃度に基づいて、前記ガスバブリング装置を制御する制御装置を更に備え、
前記制御装置は、前記濃度計で測定した溶存酸素濃度が所定の値以上になった場合に前記ガスバブリング装置により吹き込む不活性ガスの量を増加させ、前記濃度計で測定した溶存酸素濃度が所定の値未満になるように前記ガスバブリング装置を制御することを特徴とする請求項１に記載の線巻式圧力容器。
【請求項３】
前記制御装置は、前記濃度計で測定した溶存酸素濃度に基づいて所定の警告を発報する警報装置を更に備えることを特徴とする請求項２に記載の線巻式圧力容器。
【請求項４】
前記線巻式圧力容器内に残留する空気を真空引きする真空ポンプと、前記冷却水回路内に残留する空気を真空引きする真空ポンプのいずれか１つ以上、または、前記線巻式圧力容器内に残留する空気と前記冷却水回路内に残留する空気とを真空引きする１つの真空ポンプ、を更に備えることを特徴とする請求項１〜３のいずれか一項に記載の線巻式圧力容器。
【請求項５】
前記制御装置は、前記真空ポンプによる真空引きを行った後に、前記ガスバブリング装置によるバブリング処理を行うように制御することを特徴とする請求項４に記載の線巻式圧力容器。
【請求項６】
前記冷却水回路は、前記冷却水通路へ供給する冷却水を循環させることを特徴とする請求項１〜５のいずれか一項に記載の線巻式圧力容器。
【請求項７】
前記冷却水回路は、前記冷却水を保管する水タンク及び、前記水タンクと前記冷却水通路とを接続する配管系統を備え、
前記濃度計は、前記水タンクまたは前記配管系統に並列に備えられた副配管に設けられることを特徴とする請求項１〜６のいずれか一項に記載の線巻式圧力容器。
【発明の詳細な説明】
【技術分野】
【０００１】
本発明は、熱間等方圧加圧装置に用いられる線巻式圧力容器に関し、円筒状内筒の外周面に張力を付与した高耐力線材が巻き付けられ、円筒状内筒の過熱防止用の冷却水を備えて、被処理物を高温高圧処理するための線巻式圧力容器に関する。
【背景技術】
【０００２】
被処理物の再結晶温度以上の数１００〜数１０００度の高温で、アルゴンなどの不活性ガスを圧力媒体とした数１０〜数１００ＭＰａの等方的な圧力を被処理物に同時に加えて処理することにより、鋳造製品中およびセラミックス等の焼結製品中の残留気孔を消滅させる熱間等方圧加圧法（ＨＩＰ）は、機械的特性の向上、特性のバラツキの低減、および歩留まり向上などの効果が確認され、広く工業的に使用される。この熱間等方圧加圧法では熱間等方圧加圧装置が使用される。熱間等方圧加圧装置は、高圧ガスを閉じ込めるための圧力容器が用いられ、圧力容器の内部には、被処理物と加熱装置とを配置しており、更に加熱装置の外側に断熱層を配置することにより、耐熱温度の低い圧力容器を保護している。ここで、熱間等方圧加圧装置に用いられる圧力容器として、例えば、特許文献１に示すような線巻式圧力容器が知られている。
【０００３】
線巻式圧力容器は、被処理物が収容される円筒状の内筒と、内筒の外周面に沿って冷却水通路が形成された状態で、内筒の外周面に張力を付与した高耐力線材（例えばピアノ線）を巻き付けてなる高耐力線材巻層と、を備えている。線巻式圧力容器の高耐力線材巻層は、内筒に対してこれを圧縮する方向に予め応力を付与することにより、疲労強度の上昇を図り、圧力容器の疲労寿命を延ばすとともに、圧力容器の外形寸法を小さくするものである。また、線巻式圧力容器の冷却水通路は、断熱層のみならず、昇温時及び高温保持時における内筒の過熱を防止するために、内筒に水冷を施すものである。このような線巻式圧力容器は、冷却水通路に供給される冷却水に高耐圧線材が浸される構造であるため、冷却水に含まれる酸素により、高耐圧線材が腐食の影響を受けてしまう。
【０００４】
そこで、特許文献１では、冷却水に含まれる水素による水素脆化や腐食の影響を防止してピアノ線の寿命低下を抑制するため、つなぎ合わせ部に水素吸蔵合金製の継手やピアノ線よりもイオン化傾向の大きい金属でできた継手を介して溶接接続したピアノ線を高耐力線材巻層に用いている。また、冷却水に含まれる酸素による腐食の影響を防止してピアノ線の寿命低下を抑制するために、冷却水へ防錆剤を添加したり、冷却水へ不活性ガスの吹き込み（ガスバブリング）を行ったりすることにより、腐食の原因となる冷却水中の溶存酸素濃度を低下させる処置をとることも行われている。
【先行技術文献】
【特許文献】
【０００５】
【特許文献１】特開２００９−２５７５５３号公報
【発明の概要】
【発明が解決しようとする課題】
【０００６】
しかしながら、引用文献１の技術では、ピアノ線の腐食を低減するためにイオン化傾向の大きい（酸化され易い）金属製の継手を使用しているため、継手部分が集中的に腐食され、断線し易くなるという問題が生じる。一方、この問題を回避するために継手個数を増やすことが考えられるが、母材強度に比べて強度の低い溶接部の数が増え、容器全体が強度低下してしまう。また、不活性ガスの吹き込みで冷却水中の溶存酸素を排出する処置を行う技術では、冷却水を冷却水水路に供給する冷却水回路のシールが不十分であったり破れが生じたりすると水は漏れないものの、空気が浸入し酸素が溶解することがある。また、バブリング処理をしている不活性ガスの流量が冷却水中に残存している酸素を排出するための必要量に満たないことがある。このような場合、冷却水の溶存酸素濃度（Ｄｏ濃度）を十分に低減できなかったり、冷却水回路への冷却水の供給継続中に突然、冷却水の溶存酸素濃度が上昇してしまったりするという問題が生じる。
【０００７】
そこで、本発明が解決しようとする課題は、高耐圧線材の腐食の原因となる冷却水中の溶存酸素濃度を確実に且つ効率よく低下させることができる線巻式圧力容器を提供するものである。
【課題を解決するための手段】
【０００８】
上記の課題を解決するために、本発明に係る線巻式圧力容器は、円筒状の内筒と、前記内筒の外周面に張力を付与して高耐力線材を巻き付けてなる高耐力線材巻層と、前記内筒の過熱防止用の冷却水通路とを備え、被処理物を高温高圧処理するための線巻式圧力容器において、前記冷却水通路に冷却水を供給する冷却水回路と、前記冷却水回路において前記冷却水に対して不活性ガスを吹き込んでバブリング処理を行うガスバブリング装置と、前記冷却水回路における前記冷却水の溶存酸素濃度を測定する濃度計と、を備えることを特徴とする。
【０００９】
これによると、冷却水に不活性ガスを吹き込むバブリング処理を行いながら、冷却水中の溶存酸素濃度を測定することで、腐食が急速に進むほど溶存酸素濃度が上昇した異常な状態を検知することができる。そして、測定した溶存酸素濃度に基づいてバブリング処理を制御することにより、高耐力線材の腐食が急速に進むことを回避することができる。
【００１０】
また、本発明に係る線巻式圧力容器は、前記濃度計で測定した溶存酸素濃度に基づいて、前記ガスバブリング装置を制御する制御装置を更に備え、前記制御装置は、前記濃度計で測定した溶存酸素濃度が所定の値以上になった場合に前記ガスバブリング装置により吹き込む不活性ガスの量を増加させ、前記濃度計で測定した溶存酸素濃度が所定の値未満になるように前記ガスバブリング装置を制御しても良い。
【００１１】
これによると、測定した溶存酸素濃度に基づいてバブリング処理を制御することにより、吹き込む不活性ガスの量を制御する、すなわち、溶存酸素濃度の上昇に対応して不活性ガスの量を増加させるように自動調整することにより、暫定的に溶存酸素濃度の上昇を自動的に抑えることができ、溶存酸素濃度上昇の原因調査を行う期間中に線巻式圧力容器が腐食されて使用不能となることを防止できる。また、必要以上に不活性ガスを消費することがなくなり、冷却水中の溶存酸素濃度を確実に且つ効率よく低下させることができる。更に、ガスバブリング装置によるバブリング処理のガス流量の調整を制御装置により自動的に行うことができ、人間が操作する手間を省き、操作ミスを防止できる。
【００１２】
また、本発明に係る線巻式圧力容器は、前記制御装置は、前記濃度計で測定した溶存酸素濃度に基づいて所定の警告を発報する警報装置を更に備えて良い。
【００１３】
これによると、所定の警報により、冷却水を冷却水水路に供給する冷却水回路のシールが不十分であったり破れが生じたことや、バブリング処理をしている不活性ガスの流量が冷却水中に残存している酸素を排出するための必要量に満たないことを検知することができ、適切な対処を行うことができる。
【００１４】
また、本発明に係る線巻式圧力容器は、前記線巻式圧力容器内に残留する空気を真空引きする真空ポンプと、前記冷却水回路内に残留する空気を真空引きする真空ポンプのいずれか１つ以上、または、前記線巻式圧力容器内に残留する空気と前記冷却水回路内に残留する空気とを真空引きする１つの真空ポンプ、を更に備えて良い。
【００１５】
これによると、残留する空気を真空引きすることにより、残留している空気中の酸素が冷却水中に溶解して溶存酸素濃度が上昇することがなくなるため、冷却水中の溶存酸素濃度の低減の時間を短縮するとともに、不活性ガスの消費を抑えることができる。更に、１つの真空ポンプで線巻式圧力容器内に残留する空気と冷却水回路内に残留する空気とを真空引きすることにより、余分に真空ポンプを設置する必要がなくなり、簡易な構成にすることができる。
【００１６】
ここで、前記制御装置は、前記真空ポンプによる真空引きを行った後に、前記ガスバブリング装置によるバブリング処理を行うように制御して良い。
【００１７】
これによると、残留する空気を真空引きした後にバブリング処理を行うため、不活性ガスの消費を抑え、冷却水中の溶存酸素濃度を確実に且つ効率よく低下させることができる。また、真空ポンプによる真空引きの後のガスバブリング装置によるバブリング処理の開始を自動的に行うことができ、人間が操作する手間を省き、操作ミスを防止できる。
【００１８】
また、本発明に係る線巻式圧力容器は、前記冷却水回路は、前記冷却水通路へ供給する冷却水を循環させて良い。
【００１９】
これによると、溶存酸素濃度が低減された冷却水を積極的に冷却水回路に循環させることにより、冷却水中の溶存酸素濃度の低減の時間を短縮するとともに、不活性ガスの消費を抑え、冷却水中の溶存酸素濃度を確実に且つ効率よく低下させることができる。
【００２０】
また、本発明に係る線巻式圧力容器は、前記冷却水回路は、前記冷却水を保管する水タンク及び、前記水タンクと前記冷却水通路とを接続する配管系統を備え、前記濃度計は、前記水タンクまたは前記配管系統に並列に備えられた副配管に設けられて良い。
【００２１】
これによると、濃度計の着脱を容易に行うことができる。
【発明の効果】
【００２２】
本発明の線巻式圧力容器は、高耐圧線材の腐食の原因となる冷却水中の溶存酸素濃度を確実に且つ効率よく低下させることができる。
【図面の簡単な説明】
【００２３】
【図１】本実施形態に係る線巻式圧力容器の全体を示す概略図である。
【図２】本実施形態に係る線巻式圧力容器の容器本体を示す縦断面図である。
【図３】本実施形態に係る線巻式圧力容器の容器本体を示す横断面図である。
【図４】本実施形態に係る線巻式圧力容器の冷却水回路を示す概略図である。
【図５】本実施形態に係る線巻式圧力容器の変形例を示す概略図である。
【図６】本実施形態に係る線巻式圧力容器の変形例を示す概略図である。
【発明を実施するための形態】
【００２４】
以下、図面を参照しつつ、本発明に係る線巻式圧力容器を実施するための形態について、具体的な一例に即して説明する。
【００２５】
尚、以下に説明するものは、例示したものにすぎず、本発明に係る線巻式圧力容器の適用限界を示すものではない。すなわち、本発明に係る線巻式圧力容器は、下記の実施形態に限定されるものではなく、特許請求の範囲に記載した限りにおいてさまざまな変更が可能なものである。
【００２６】
本実施形態に係る熱間等方圧加圧装置に用いられる線巻式圧力容器１は、図１に示すように、容器本体１０と、冷却水回路２０とを備えている。
【００２７】
図２及び図３に示すように、容器本体１０は、円筒状の内筒１１と、内筒１１の冷却用の冷却水通路１３を形成するために内筒１の外周面に円周方向に所定間隔を隔てて、かつ、内筒１の外周面に沿って内筒１１の軸方向に延びるように配置された多数本のスペーサ部材１２と、スペーサ部材１２を締め付ける高耐圧線材巻層１４とを備える。
【００２８】
内筒１１は、高強度の低合金鋼、あるいは高強度のステンレス鋼から形成される。スペーサ部材１２は、内筒１１よりも軟らかい金属で形成される。また、スペーサ部材１２は、矩形の断面形状で、内筒１１よりわずかに短い長さになるように形成される。
【００２９】
高耐圧線材巻層１４は、張力が付与された断面矩形状の高耐圧線材（例えば、ピアノ線）を内筒１１との間にスペーサ部材１２を挟むようにして内筒１１の外周に、スペーサ部材１２の長手方向のほぼ全長に渡り、所定の厚みとなるよう多層に巻きつけて、内筒１１の外側に内筒１１と同軸心となるように形成される。
【００３０】
高耐圧線材巻層１４の外周には、冷却水通路１３から高耐圧線材巻層１４側へ滲み出す冷却水を収容するためのジャケット１５が形成される。また、内筒１１の上端側の外周面には、冷却水通路１３を通過した冷却水が集められる冷却水室１６ａが設けられ、更に、冷却水室１６ａには、集められた冷却水を後述する冷却水回路２０に排出する円環状の上部マニホールド１６が形成される。同様に、内筒１１の下端側の外周面には、冷却水通路１３に冷却水を分配して供給する冷却水室１７ａと、後述する冷却水回路２０から供給される冷却水を冷却水室１７ａに集める円環状の下部マニホールド１７とが設けられる。
【００３１】
また、図１に示すように、容器本体１０内の空気を真空引きするための真空ポンプ１８と真空元弁１８ａが備えられる。真空元弁１８ａは、真空引きするときにだけ開き、真空ポンプ１８により真空引きされた容器本体１０内の空気が外部に排出される。
【００３２】
尚、内筒１１の内部には、被処理物が収容されるようになっており、更に、被処理物を加熱する加熱装置（ヒーター）と加熱装置を取り囲むように逆コップ状の断熱層が形成される。
【００３３】
冷却水回路２０には、下部マニホールド１７と接続される冷却水供給配管２１と上部マニホールド１６と接続される冷却水排水配管２２とからなる配管系統２３と、冷却水供給配管２１と冷却水排出配管２２とに接続されて冷却水を貯蔵する水タンク２４とを備えられる。そして、冷却水は、冷却水回路２０において、図１に示す矢印の向きに循環される。
【００３４】
冷却水供給配管２１には、水タンク２４からフィルター２５を介して冷却水を吸い込み、下部マニホールド１７に冷却水を供給する冷却水ポンプ２６が備えられる。尚、冷却水ポンプ２６には、モータ２６ａが備えられる。
【００３５】
冷却水排出配管２２は、二次側冷却水配管２７と一次側冷却水配管２８とを有する。冷却水通路１３を通過することで温度上昇した冷却水は、上部マニホールド１６から二次側冷却水配管２７に排出され、熱交換器２９を介して一次側冷却水配管２８で供給された一次側冷却水を用いて冷却された後、水タンク２４に戻される。
【００３６】
ガスバブリング装置３０には、供給された高純度の不活性ガスを吹き込むための不活性ガス供給配管３１を備えられる。不活性ガス供給配管３１は、水タンク２４内に挿入される。また、ガスバブリング装置３０には、不活性ガス供給配管３１に流す不活性ガスの流量を調整する流量調整弁３０ａを備えられる。そして、ガスバブリング装置３０は、流量調整弁３０ａで調整された流量の不活性ガスを、不活性ガス供給配管３１を介して水タンク２４内の冷却水中に吹き込んでバブリング処理を行う。不活性ガスは、アルゴンガス、窒素ガス等を用いることができる。不活性ガスとしてアルゴンガスを使用した場合は、水タンク２４内の液面から上の空間において下部に滞留するため、水タンク２４内の液面から上の空間に存在する酸素を含む空気を上方に持ち上げて後述する排気配管３２より排出できる。一方、窒素ガスの場合は、水タンク２４内の液面から上の空間に存在する酸素を含む空気と混ざり合うので、酸素を含む空気を完全に排出するために、アルゴンガスと比較してより多くのガス流量が必要であったり、時間が掛かったりする。
【００３７】
また、水タンク２４には、排気配管３２が備えられる。バブリング処理に用いられた不活性ガスは、排気配管３２を通って、水タンク２４の内部から外部に排出される。排気配管３２は、更に、水タンク２４内部の冷却水が必要以上に増加した場合（水タンク２４の液面が予め設定した所定の高さ以上になった場合）に水タンク２４内の冷却水を排出するようにしても良い。
【００３８】
また、水タンク２４には、液面計３３が備えられる。液面計３３は、ガスバブリング装置３０によるバブリング処理により水タンク２４内の冷却水が蒸発して減少し、液面が低下したことを検出する。水タンク２４内の冷却水が必要以上に減少した場合（水タンクの液面が予め設定した所定の高さ以下になった場合）に、供給口３４より水タンク２４内に冷却水を供給するようにしても良い。
【００３９】
また、水タンク２４には、冷却水中の溶存酸素濃度を測定するための溶存酸素濃度測定センサー（濃度計）３５が内部に挿入される。溶存酸素濃度測定センサー３５で測定した溶存酸素濃度は、制御盤（制御装置）３６の指示器（警報装置）３６ａに表示される。ここで、制御盤３６は、指示器３６ａに対して、溶存酸素濃度が所定の値以上になると、所定の警報を発報するようにしてもよい。ここで、所定の警報とは、例えば、指示器３６ａに「溶存酸素濃度が上昇しています。ガス流量を増やして下さい。」と表示するとともに、所定の警報音を鳴らすようにしてもよい。また、例えば、所定の警告は、溶存酸素濃度が所定の値以上になってから、所定の時間が経過した場合に、指示器３６ａに「冷却水系統の気密確認を行って下さい。」と表示するとともに、所定の警報音を鳴らすようにしてもよい。この場合、制御盤３６内のマイコンに、下記に示す溶存酸素濃度測定センサー３５の測定結果に基づく指示器３６ａの所定の警告の発報の手順を記憶させる。指示器３６ａの所定の警告の発報の手順は、具体的には、制御盤３６は、溶存酸素濃度測定センサー３５の測定結果が所定の値以上になったと判定した場合、これを検知して、「溶存酸素濃度が上昇しています。ガス流量を増やして下さい。」と指示器３６ａに表示すると共に、所定の警報を発報する。さらに、制御盤３６は、溶存酸素濃度測定センサー３５の測定結果が所定の値以上になって所定の時間が経過したと判定した場合に、この状態が継続したことを検知して、「冷却水系統の気密確認を行って下さい。」と指示器３６ａに表示するとともに、所定の警報音を鳴らす。
【００４０】
実際には、ガスバブリング装置３０は、バブリング処理を開始することで、冷却水中の溶存酸素濃度は徐々に低下する。例えば、バブリング処理の初期において、流量調整弁３０ａを調整してガス流量を大目にして、冷却水回路２０（特に、水タンク２４）内に残留している酸素を排出する。ここで、溶存酸素濃度が十分に低下してすぐに、流量調整弁３０ａを調整してガス流量を減らした場合、冷却水回路２０内に酸素が残留していると、溶存酸素濃度が上昇する。そして、制御盤３６は、溶存酸素濃度測定センサー３５の測定結果が所定の値以上になったと判定した場合、これを検知して、「溶存酸素濃度が上昇しています。ガス流量を増やして下さい。」と指示器３６ａに表示すると共に、所定の警報を発報する。次に、溶存酸素濃度が十分に低下した状態を維持した後に、配管系統２３に、冷却水が漏れないが、酸素は透過する程度のシール不良が発生すると、突然に溶存酸素濃度が上昇し始める。そして、制御盤３６は、溶存酸素濃度測定センサー３５の測定結果が所定の値以上になったと判定した場合に、これを検知して、「溶存酸素濃度が上昇しています。ガス流量を増やして下さい。」と指示器３６ａに表示すると共に、警報を発報する。さらに、制御盤３６は、溶存酸素濃度測定センサー３５の測定結果が所定の値以上になって所定の時間が経過したと判定した場合に、この状態が継続したことを検知して、「冷却水系統の気密確認を行って下さい。」と指示器３６ａに表示するとともに、所定の警報音を鳴らす。
【００４１】
ここで、図４に示すように、ガスバブリング装置３０が備える流量調整弁３０ａと、制御盤３６とを接続しても良い。この場合、制御盤３６内のマイコンに、下記に示す溶存酸素濃度測定センサー３５の測定結果に基づく流量調整弁３０によるガス流量の調整の手順を記憶させる。そして、制御盤３６からの遠隔指令により流量調整弁３０を操作する。流量調整弁３０によるガス流量の調整の手順は、具体的には、制御盤３６は、初めに、流量調整弁３０ａを調整してガス流量を大目にして、配管系統２３及び水タンク２４（特に、水タンク２４）内に残留している酸素を排出する。ここで、制御盤３６は、溶存酸素濃度が十分に低下して溶存酸素濃度測定センサー３５の測定結果が所定の値未満になったと判定した場合、流量調整弁３０ａを調整してガス流量を減らすように制御する。次に、制御盤３６は、溶存酸素濃度測定センサー３５の測定結果が所定の値以上になったと判定した場合、流量調整弁３０ａ調整してガス流量を増やすように制御する。また、制御盤３６は、溶存酸素濃度測定センサー３５の測定結果が所定の値以上になって所定の時間が経過したと判定した場合に、流量調整弁３０ａ調整してガス流量を更に増やすように制御する。これにより、ガスバブリング装置３０によるバブリング処理のガス流量の調整をするための流量調整弁３０の操作を制御盤３６により自動的に行うことができ、人間が操作する手間を省き、操作ミスを防止できる。また、溶存酸素濃度が上昇した場合に警報を発報するだけでなく、バブリング処理で用いるガス流量を増やす方に自動調整させることで、暫定的に溶存酸素濃度の上昇を自動的に抑えることができるので、溶存酸素濃度上昇の原因調査を行う期間中に圧力容器が腐食され使用不能となることを防止できる。
【００４２】
ここで、図５に示すように、冷却水回路２０内で最も空気の滞留し易い水タンク２４の上部に、水タンク２４内の空気を真空引きするための真空ポンプ３７と真空元弁３７ａを備えても良い。真空元弁３７ａは、真空引きするときにだけ開き、真空ポンプ３７により真空引きされた水タンク２４内の空気を外部に排出する。ガスバブリング装置３０によるバブリング処理を行う前に、真空元弁３７ａを開き、真空ポンプ３７を起動して、水タンク２４内の酸素を含む空気を排出した後、真空元弁３７ａを閉じることで、冷却水回路２０内に滞留している酸素を低減することができる。その後、ガスバブリング装置３０により高純度の不活性ガスをバブリングすることで、滞留している空気から冷却水に溶解する酸素の量が非常に低減されるので、冷却水中の溶存酸素濃度が十分に低下するまでの時間が大幅に短縮できる。
【００４３】
また、制御盤３６と図５に示す真空ポンプ３７とを接続しても良い。この場合、制御盤３６内のマイコンに、真空ポンプ３７で真空引きを行った後に、ガスバブリング装置３０によるバブリング処理を行うように記憶させる。これにより、水タンク２４内に残留する空気（水タンク２４内の液面から上の空間に存在する酸素を含む空気）を真空引きした後にバブリング処理を行うため、不活性ガスの消費を抑えることができる。また、真空ポンプ３７による真空引きの後のガスバブリング装置３０によるバブリング処理の開始を自動的に行うことができ、人間が操作する手間を省き、操作ミスを防止できる。
【００４４】
また、図５に示す、容器本体１０内の空気を真空引きするための真空ポンプ１８と真空元弁１８ａと、水タンク２４内の空気を真空引きするための真空ポンプ３７と真空元弁３７ａの代わりに、図６に示すように、容器本体１０内の空気及び水タンク２４内の空気を兼用して真空引きするための真空ポンプ３８と、真空ポンプ３８及び容器本体１０の間に備えられる真空元弁３８ａと、真空ポンプ３８及び水タンク２４の間に備えられる真空元弁３８ｂと、を備えても良い。真空ポンプ３８で容器本体１０内の空気を真空引きする際には、真空元弁３８ａは開き、真空元弁３８ｂを閉じて、真空ポンプ３８を起動する。また、水タンク２４内の冷却水の入替えや、配管系統２３のメンテナンスなどで、冷却水回路２０内に空気が浸入した場合には、真空元弁３８ｂを開いて、真空ポンプ３８を起動し、水タンク２４内に滞留している空気を排出した後、ガスバブリング装置３０によるバブリング処理を行う。このとき、真空元弁３８ａは閉じておく。
【００４５】
このように、本実施形態の線巻式圧力容器１は、ガスバブリング装置３０により、水タンク２４内に貯蔵された冷却水に不活性ガスを吹き込むバブリング処理を行いながら、溶存酸素濃度測定センサー３５により、冷却水中の溶存酸素濃度を測定することで、腐食が急速に進むほど溶存酸素濃度が上昇した異常な状態を検知することができる。そして、溶存酸素濃度測定センサー３５で測定した溶存酸素濃度に基づいてガスバブリング装置３０によるバブリング処理を制御することにより、線巻式圧力容器１の高耐圧線材巻層１４を構成する高耐力線材の腐食が急速に進むことを回避することができる。
【００４６】
以上、本発明の好適な実施の形態について説明したが、本発明は、前記実施の形態に限定されるものではなく、特許請求の範囲に記載した限りにおいてさまざまな変更が可能なものである。
【００４７】
上述した実施形態に係る線巻式圧力容器１の冷却水回路２０では、配管系統２３の冷却水排出配管２２が水タンク２４に接続されており、冷却水通路１３を通った冷却水が水タンク２４に全て戻って、冷却水が冷却水回路２０内を循環するようになっているが、それに限らない。例えば、冷却水通路１３を通った冷却水を水タンク２４に戻さず、冷却水排出配管２２から外部へ排出するようにして、水タンク２４を冷却水の消失分のみを補うようにしても良い。その場合、溶存酸素濃度を低減された冷却水が積極的に冷却水回路２０に循環されないので、水タンク２４内でガスバブリング装置３０によるバブリング処理を行う際に、冷却水を冷却水回路２０で循環させた場合と比較して、冷却水中の溶存酸素濃度低減に時間を要する。
【００４８】
また、上述した実施形態に係る線巻式圧力容器１では、溶存酸素濃度測定センサー３５を水タンク２４に装着しているが、それに限らない。例えば、冷却水回路２０の途中に設けることも可能である。この場合は、溶存酸素濃度測定センサー３５を装着した副配管を主回路である冷却水回路２０と並列に設け、溶存酸素濃度測定センサー３５の前後にバルブを設けることが好ましい。溶存酸素濃度測定センサー３５の着脱が容易にでき、使い勝手がよいためである。
【符号の説明】
【００４９】
１  線巻式圧力容器
１１  内筒
１３  冷却水通路
１４  高耐力線材巻層
１８  真空ポンプ
２０  冷却水回路
２３  配管系統
２４  水タンク
３０  ガスバブリング装置
３５  溶存酸素濃度測定センサー（濃度計）
３６  制御盤（制御装置）
３６ａ  指示器（警報装置）
３７  真空ポンプ
３８  真空ポンプ
【図１】
2014163658.tif 000003
【図２】
2014163658.tif 000004
【図３】
2014163658.tif 000005
【図４】
2014163658.tif 000006
【図５】
2014163658.tif 000007
【図６】
2014163658.tif 000008